(57)【要約】      （修正有）【課題】使用者が、初期にＡＲＳ番号を用いた接続及び納付者番号の１回の入力のみで、決済情報の案内及び決済の実行が可能な、ＡＲＳを用いたモバイル決済方法を提供する。【解決手段】（ａ）ＡＲＳサーバからＡＲＳ接続番号、納付者番号及びモバイル端末機番号を受信する段階と、（ｂ）前記ＡＲＳ番号によって加盟店サーバを識別し、前記加盟店サーバに、前記納付者番号で決済情報を要請する段階と、（ｃ）決済情報を前記ＡＲＳサーバに伝送して、前記ＡＲＳサーバから認証及び決済が要請される段階と、（ｄ）決済サーバに認証／決済承認を要請し、その結果を受信して前記ＡＲＳサーバに伝送する段階と、を含む、ＡＲＳを用いたモバイル決済方法。【選択図】図１
2012238226.tif 000002
【特許請求の範囲】
【請求項１】
（ａ）ＡＲＳサーバからＡＲＳ接続番号、納付者番号及びモバイル端末機番号を受信する段階と、
（ｂ）前記ＡＲＳ番号によって加盟店サーバを識別し、前記加盟店サーバに、前記納付者番号で決済情報を要請する段階と、
（ｃ）決済情報を前記ＡＲＳサーバに伝送して、前記ＡＲＳサーバから認証及び決済が要請される段階と、
（ｄ）決済サーバに認証／決済承認を要請し、その結果を受信して前記ＡＲＳサーバに伝送する段階と、
を含む、ＡＲＳを用いたモバイル決済方法。
【請求項２】
（ａ）ＡＲＳサーバから納付者番号及びモバイル端末機番号を受信する段階と、
（ｂ）加盟店サーバに、前記納付者番号で決済情報を要請する段階と、
（ｃ）決済情報を前記ＡＲＳサーバに伝送し、前記ＡＲＳサーバから認証及び決済が要請される段階と、
（ｄ）決済サーバに、認証／決済承認を要請し、その結果を受信して前記ＡＲＳサーバに伝送する段階と、
を含む、ＡＲＳを用いたモバイル決済方法。
【請求項３】
段階（ｃ）で、ＡＲＳサーバから購買者の固有識別番号を受信する段階をさらに含み、前記購買者の固有識別番号は、ＡＲＳサーバが前記モバイル端末機に入力を要請し、前記モバイル端末機から入力されることを特徴とする、請求項１または２に記載のＡＲＳを用いたモバイル決済方法。
【請求項４】
使用者のモバイル端末機からパスワードが入力される段階をさらに含む、請求項１または２に記載のＡＲＳを用いたモバイル決済方法。
【請求項５】
（ａ）ＡＲＳ接続した使用者のモバイル端末機から納付者番号が入力される段階と、
（ｂ）決済中継サーバに、前記購買者のＡＲＳ番号、納付者番号、及びモバイル端末機番号を伝送する段階と、
（ｃ）決済中継サーバから前記購買者の決済情報を受信し、前記モバイル端末機にＡＲＳ案内を行う段階と、
（ｄ）モバイル端末機から決済要請が入力される段階と、
（ｅ）決済中継サーバに認証及び決済を要請し、前記決済中継サーバから、前記認証／決済承認の結果を受信して、モバイル端末機にＡＲＳ案内を行う段階と、を含む、ＡＲＳを用いたモバイル決済方法。
【請求項６】
（ａ）ＡＲＳ接続した使用者のモバイル端末機から納付者番号が入力される段階と、
（ｂ）決済中継サーバに、前記購買者の納付者番号及びモバイル端末機番号を伝送する段階と、
（ｃ）決済中継サーバから前記購買者の決済情報を受信し、前記モバイル端末機にＡＲＳ案内を行う段階と、
（ｄ）モバイル端末機から決済要請が入力される段階と、
（ｅ）決済中継サーバに認証及び決済を要請し、前記決済中継サーバから前記認証／決済承認の結果を受信して、モバイル端末機にＡＲＳ案内を行う段階と、を含む、ＡＲＳを用いたモバイル決済方法。
【請求項７】
段階（ｄ）で、決済要請と別途に、または、決済要請として、モバイル端末機に購買者の固有識別番号の入力を要請し、前記固有識別番号が入力される段階をさらに含むことを特徴とする、請求項６に記載のＡＲＳを用いたモバイル決済方法。
【請求項８】
決済サーバは、認証及び決済承認の業務を行うクレジットカード会社、移動通信会社、または金融機関のサーバであることを特徴とする、請求項１に記載のＡＲＳを用いたモバイル決済方法。
【請求項９】
モバイル端末機から、ＡＲＳ接続を通じて納付者番号及び決済要請が入力され、前記モバイル端末機に、決済情報及び決済結果を案内するＡＲＳサーバと、
前記ＡＲＳサーバから、少なくとも納付者番号、モバイル端末機番号及び認証／決済要請を受信し、加盟店サーバから受信した決済情報と、決済サーバから受信した認証／決済承認の結果とを前記ＡＲＳサーバに伝送する決済中継サーバと、
を含む、ＡＲＳを用いたモバイル決済システム。
【発明の詳細な説明】
【技術分野】
【０００１】
本発明は、ＡＲＳを用いたモバイル決済方法及びシステムに係り、より詳しくは、使用者が、初期にＡＲＳ番号を用いた接続及び納付者番号の１回の入力のみで、決済情報の案内及び決済の実行が可能な、ＡＲＳを用いたモバイル決済方法及びシステムに関するものである。
【背景技術】
【０００２】
最近、現物貨幣に代わる決済手段が広範囲に利用されている。これは、インターネットなど電子商取引が可能な環境の造成、様々な機能を有する現金支払機の普及、移動通信端末機の普及と、これを用いた金融取引の活性化などにより可能になった。
【０００３】
現物貨幣に代わるものとして、インターネット上において多く使われている電子マネーが例に挙げられる。しかし、このような現物貨幣、電子マネーなどの、実際に貨幣が取り引きされる場合に負けず劣らず、カード決済、携帯電話料金を通じた小額決済及び口座振替が利用されている。特に、口座振替の場合、過去のように直接銀行を訪問しなくても、現金支払機、携帯電話、インターネットなどの装置を用いて２４時間手軽に利用することができるようになった。このような、カード決済、小額決済及び口座振替は、インターネット上のオンラインショップ及びオンラインサービスが活発になるにつれ、ますますその使用が増加している。
【０００４】
このうち、携帯電話を用いた決済方法は、別途に現金やクレジットカードを所持していない者も、大概自分の携帯電話は携帯しているので、うっかり現金やカードを忘れ決済を行うことができない状況は発生しないという長所を有する。
【０００５】
しかし、このような、携帯電話を用いた決済方法は、別途のアプリケーション及び認証書をダウンロードして、自分の携帯電話に設置しなければならず、小さい画面を通じて多くの情報を入力しなければならない等、キーパッドの使用に慣れていない高齢者など、視力の弱い購買者の場合、利用するに当たって多くの困難がある。
【発明の概要】
【発明が解決しようとする課題】
【０００６】
本発明は、上記のような従来の技術が有する問題点を解決するために案出されたもので、その目的は、使用者が、初期にＡＲＳ番号を用いた接続及び納付者番号の１回の入力のみで、決済情報の案内及び決済の実行が可能な、ＡＲＳを用いたモバイル決済方法を提供することにある。
【０００７】
本発明の他の目的は、使用者が、初期にＡＲＳ番号を用いた接続及び納付者番号の１回の入力のみで、決済情報の案内及び決済の実行が可能な、ＡＲＳを用いたモバイル決済システムを提供することにある。
【課題を解決するための手段】
【０００８】
上記のような本発明の技術的課題は、次のような手段により達成される。
【０００９】
（１）（ａ）ＡＲＳサーバからＡＲＳ接続番号、納付者番号及びモバイル端末機番号を受信する段階と、
（ｂ）前記ＡＲＳ番号によって加盟店サーバを識別し、前記加盟店サーバに、前記納付者番号で決済情報を要請する段階と、
（ｃ）決済情報を前記ＡＲＳサーバに伝送して、前記ＡＲＳサーバから認証及び決済が要請される段階と、
（ｄ）決済サーバに認証／決済承認を要請し、その結果を受信して前記ＡＲＳサーバに伝送する段階と、
を含む、ＡＲＳを用いたモバイル決済方法。
【００１０】
（２）（ａ）ＡＲＳサーバから納付者番号及びモバイル端末機番号を受信する段階と、
（ｂ）加盟店サーバに、前記納付者番号で決済情報を要請する段階と、
（ｃ）決済情報を前記ＡＲＳサーバに伝送し、前記ＡＲＳサーバから認証及び決済が要請される段階と、
（ｄ）決済サーバに、認証／決済承認を要請し、その結果を受信して前記ＡＲＳサーバに伝送する段階と、
を含む、ＡＲＳを用いたモバイル決済方法。
【００１１】
（３）上記（１）または（２）において、
段階（ｃ）で、ＡＲＳサーバから購買者の固有識別番号を受信する段階をさらに含み、前記購買者の固有識別番号は、ＡＲＳサーバが前記モバイル端末機に入力を要請し、前記モバイル端末機から入力されることを特徴とする、ＡＲＳを用いたモバイル決済方法。
【００１２】
（４）上記（１）または（２）において、
使用者のモバイル端末機からパスワードが入力される段階をさらに含む、ＡＲＳを用いたモバイル決済方法。
【００１３】
（５）（ａ）ＡＲＳ接続した使用者のモバイル端末機から納付者番号が入力される段階と、
（ｂ）決済中継サーバに、前記購買者のＡＲＳ番号、納付者番号、及びモバイル端末機番号を伝送する段階と、
（ｃ）決済中継サーバから前記購買者の決済情報を受信し、前記モバイル端末機にＡＲＳ案内を行う段階と、
（ｄ）モバイル端末機から決済要請が入力される段階と、
（ｅ）決済中継サーバに認証及び決済を要請し、前記決済中継サーバから、前記認証／決済承認の結果を受信して、モバイル端末機にＡＲＳ案内を行う段階と、を含む、ＡＲＳを用いたモバイル決済方法。
【００１４】
（６）（ａ）ＡＲＳ接続した使用者のモバイル端末機から納付者番号が入力される段階と、
（ｂ）決済中継サーバに、前記購買者の納付者番号及びモバイル端末機番号を伝送する段階と、
（ｃ）決済中継サーバから前記購買者の決済情報を受信し、前記モバイル端末機にＡＲＳ案内を行う段階と、
（ｄ）モバイル端末機から決済要請が入力される段階と、
（ｅ）決済中継サーバに認証及び決済を要請し、前記決済中継サーバから前記認証／決済承認の結果を受信して、モバイル端末機にＡＲＳ案内を行う段階と、を含む、ＡＲＳを用いたモバイル決済方法。
【００１５】
（７）上記（６）において、
段階（ｄ）で、決済要請と別途に、または、決済要請として、モバイル端末機に購買者の固有識別番号の入力を要請し、前記固有識別番号が入力される段階をさらに含むことを特徴とする、ＡＲＳを用いたモバイル決済方法。
【００１６】
（８）上記（１）において、
決済サーバは、認証及び決済承認の業務を行うクレジットカード会社、移動通信会社、または金融機関のサーバであることを特徴とする、ＡＲＳを用いたモバイル決済方法。
【００１７】
（９）モバイル端末機から、ＡＲＳ接続を通じて納付者番号及び決済要請が入力され、前記モバイル端末機に、決済情報及び決済結果を案内するＡＲＳサーバと、
前記ＡＲＳサーバから、少なくとも納付者番号、モバイル端末機番号及び認証／決済要請を受信し、加盟店サーバから受信した決済情報と、決済サーバから受信した認証／決済承認の結果とを前記ＡＲＳサーバに伝送する決済中継サーバと、
を含む、ＡＲＳを用いたモバイル決済システム。
【発明の効果】
【００１８】
上記の実施例で詳細に記述したように、本発明は、ＡＲＳ案内を受けて購買者のモバイル端末機を通じて決済を行うので、使用者が、初期にＡＲＳ番号を用いた接続及び納付者番号の１回の入力のみで、決済情報の案内及び決済の実行が可能であり、一々モバイル端末機の画面を見ながら、追加的な情報を入力しなければならない煩わしさがない。さらに、本発明によれば、別途のＡＲＳサーバを運用していない事業者でも、ＡＲＳサーバの運用業者にＡＲＳサーバの使用許可を受ける方法によって、本発明によるＡＲＳを用いたモバイル決済方法を利用することができる。
【図面の簡単な説明】
【００１９】
【図１】本発明の全体ＡＲＳ決済システムの構成図である。
【図２ａ】第１形式による、本発明のＡＲＳを用いたモバイル決済過程を示す流れ図である。
【図２ｂ】第２形式による、本発明のＡＲＳを用いたモバイル決済過程を示す流れ図である。
【図３】本発明による、購買者がモバイル端末機を用いてＡＲＳ決済を行う過程の実施例を示す図である。
【発明を実施するための形態】
【００２０】
本発明の第１形式による実施例は、
（ａ）ＡＲＳサーバからＡＲＳ接続番号、納付者番号及びモバイル端末機番号を受信する段階と、
（ｂ）前記ＡＲＳ番号によって加盟店サーバを識別し、前記加盟店サーバに、前記納付者番号で決済情報を要請する段階と、
（ｃ）決済情報を前記ＡＲＳサーバに伝送して、前記ＡＲＳサーバから認証及び決済が要請される段階と、
（ｄ）決済サーバに認証／決済承認を要請し、その結果を受信して前記ＡＲＳサーバに伝送する段階と、
を含む、ＡＲＳを用いたモバイル決済方法を含む。
【００２１】
本発明の第２形式による実施例は、
（ａ）ＡＲＳサーバから納付者番号及びモバイル端末機番号を受信する段階と、
（ｂ）加盟店サーバに、前記納付者番号で決済情報を要請する段階と、
（ｃ）決済情報を前記ＡＲＳサーバに伝送し、前記ＡＲＳサーバから認証及び決済が要請される段階と、
（ｄ）決済サーバに、認証／決済承認を要請し、その結果を受信して前記ＡＲＳサーバに伝送する段階と、
を含む、ＡＲＳを用いたモバイル決済方法を含む。
【００２２】
以下、本発明の内容について図面を参照して、より詳細に説明すると、次の通りである。
【００２３】
図１は、本発明によるＡＲＳを用いたモバイル決済過程を示す全体システム構成図であって、モバイル端末機１０、加盟店サーバ２０、決済中継サーバ３０、決済サーバ４０及びＡＲＳサーバ５０からなる。
【００２４】
モバイル端末機１０は、ＡＲＳを通じて電子決済を希望する購買者が所有する端末機で、一般に、加盟店から、納付者番号乃至振替番号が記載されたｇｉｒｏなどの納付告知書の発給を受けた者が所有する端末機である。
【００２５】
加盟店サーバ２０は、オンラインまたはオフライン上で購買者のために商品を展示し、販売する、各種のショッピングモール事業者が運営するサーバである。前記加盟店サーバ２０を運営する加盟店は、商品を購買したモバイル端末機１０の所有者に、当該商品購買に対する告知書を発給する。
【００２６】
決済中継サーバ３０は、通常、インターネット上で電子決済を代行するＰＧ（ｐａｙｍｅｎｔ  ｇａｔｅｗａｙ）会社が運営するサーバであって、加盟店サーバ２０及び決済サーバ４０とネットワークを介して連結されて、電子決済に関連したプロセスを行い、ＡＲＳサーバ５０を媒介としてモバイル端末機１０と前記決済サーバ４０間の決済過程を中継する。
【００２７】
決済サーバ４０は、認証及び決済承認の業務を行うクレジットカード会社、移動通信会社、または金融機関などが運営するサーバである。同サーバは、決済中継サーバ３０と決済に関する認証及び承認の業務を行う。
【００２８】
ＡＲＳサーバ５０は、購買者のモバイル端末機１０と決済中継サーバ３０との間において決済に要求される情報、及び決済の結果を音声情報として提供することにより、購買者の決済の便宜を提供するためのインターフェースの機能を担う。本発明では、１つのＡＲＳサーバ５０のみで、独自にＡＲＳシステムを構築できない複数の決済機関または決済中継機関のためにＡＲＳサービスを提供することができる。
【００２９】
上記のような本発明によるＡＲＳを用いたモバイル決済システムは、上記の各構成要素以外にも、モバイル通信のための基地局、中継局、制御局、通信ネットワークなどの様々な物理的設備が要求されるが、これら設備は、既に公知のシステムであって、本発明の説明では省略するものの、システムの物理的な具現のために必要な公知のいずれの設備も含まれ得ることを、当業者であれば理解することができる。
【００３０】
図２ａは、本発明の第１形式による、本発明のＡＲＳを用いたモバイル決済過程を示す流れ図である。
【００３１】
まず、加盟店サーバ２０を運営する加盟店は、商品またはサービスの購買者に、当該購買した商品またはサービスの購買代金を納付するよう要請する納付告知書を発送する。このとき、納付告知書は、郵便を通じた納付告知書（ｇｉｒｏ）の形態で伝達しても良く、電子メールまたはＳＭＳ文字を通じて購買者のコンピュータやモバイル端末機に伝送しても良い（以下、通称して納付告知書という）。
【００３２】
納付告知書には、好ましくは、モバイル端末機１０によって接続可能なＡＲＳ接続番号、納付者番号または振替番号が記載される。このとき、モバイル端末機１０は、前記商品またはサービスを直接購買した者が保有する端末機を原則とするが、必ず、これに限定されるものではない。したがって、購買者に代わって、当該商品またはサービスの購買代金を納付する者が保有するモバイル端末機も、ここに含まれる（以下、端末機の保有者は購買者のことを意味する）。前記購買者に伝達されるＡＲＳ接続番号は、当該加盟店に付与された固有の接続番号とすることが望ましい。
【００３３】
購買者は、モバイル端末機１０に、前記納付告知書に記載されたＡＲＳ接続番号を入力して、ＡＲＳサーバ５０に接続する。このとき、前記ＡＲＳサーバ５０の音声案内メッセージに従い、ＡＲＳ接続番号と別途に、納付者番号乃至振替番号（以下、通称して納付者番号という）を入力するようにすることだけでなく、初めから購買者がＡＲＳ接続番号とともに、納付者番号を入力するようにすることも可能である。
【００３４】
ＡＲＳサーバ５０は、前記モバイル端末機１０から受信したＡＲＳ接続番号、納付者番号及びこれと共に、好ましくは、前記モバイル端末機番号を採番して（例えば、採番のためにＣＩＤ（Ｃａｌｌｉｎｇ  Ｉｄｅｎｔｉｔｙ  Ｄｅｌｉｖｅｒｙ）サービスを利用できる）、決済中継サーバ３０に伝送する。
【００３５】
前記ＡＲＳ接続番号、納付者番号及びモバイル端末機番号を受信した決済中継サーバ３０は、ＡＲＳ接続番号によりマッチする加盟店サーバ２０に、納付者番号を照会するよう要請し、加盟店サーバ２０から、前記納付者番号を確認し、当該購買者に告知された納付金額などを含む決済情報を受信する。
【００３６】
決済中継サーバ３０は、前記加盟店サーバ２０から受信した決済情報を、ＡＲＳサーバ５０に伝送し、これを受信したＡＲＳサーバ５０は、前記決済情報を知らせる音声案内メッセージを前記モバイル端末機１０に伝送する。このとき、好ましくは、購買者の認証のために、固有識別番号を入力するよう要求することができる。固有識別番号は、購買者を認証することができる番号であれば、いずれも含まれることができ、例えば、住民登録番号、クレジットカード番号、チェックカード番号などであっても良い。
【００３７】
モバイル端末機１０から住民登録番号などの入力を受けたＡＲＳサーバ５０は、前記購買者に対する認証及び決済を行うよう、前記決済中継サーバ３０に要請する。
【００３８】
決済中継サーバ３０は、決済サーバ４０に認証及び決済の承認を要請する。このとき、決済サーバ４０は、購買者がモバイル利用料金で決済を要請する場合には移動通信会社が運営するサーバとなり、クレジットカードによる決済を要請する場合にはクレジットカード会社が運営するサーバ（ＶＡＮ会社のサーバが中継する場合も含まれる）となり、口座振替を通じた決済を要請する場合には金融機関が運営するサーバとなる。これは、購買者が、以前の段階においてＡＲＳサーバ５０の音声案内メッセージを通じて、決済方式を選択するよう入力を要請することにより成り立つ。
【００３９】
決済中継サーバ３０から購買者の認証及び決済承認の要請を受けた決済サーバ４０は、当該要請に対する認証及び決済承認の結果を前記決済中継サーバ３０に伝送する。認証及び決済承認の結果を受信した決済中継サーバ３０は、これを加盟店サーバ２０とＡＲＳサーバ５０に、それぞれ伝送する。
【００４０】
ＡＲＳサーバ５０は、前記決済結果を、音声案内メッセージを通じて前記モバイル端末機１０に伝送する。これによって、購買者は、ＡＲＳ接続番号、納付者番号、住民登録番号程度の最小限の情報の入力のみで、ＡＲＳを通じて電子決済を容易に行うことができることになる。
【００４１】
図２ｂは、第２形式による、本発明のＡＲＳを用いたモバイル決済過程を示す流れ図である。
【００４２】
まず、加盟店サーバ２０を運営する加盟店は、商品またはサービスの購買者に、当該購買した商品またはサービスの購買代金を納付するよう要請する納付告知書を発送する。このとき、納付告知書は、郵便を通じた納付告知書（ｇｉｒｏ）の形態で伝達しても良く、電子メールまたはＳＭＳ文字を通じて購買者のコンピュータやモバイル端末機に伝送しても良い（以下、通称して納付告知書という）。
【００４３】
納付告知書には、好ましくは、モバイル端末機１０によって接続可能なＡＲＳ接続番号、納付者番号または振替番号が記載される。このとき、モバイル端末機１０は、前記商品またはサービスを直接購買した者が保有する端末機を原則とするが、必ず、これに限定されるものではない。したがって、購買者に代わって、当該商品またはサービスの購買代金を納付する者が保有するモバイル端末機も、ここに含まれる（以下、端末機の保有者は購買者のことを意味する）。前記購買者に伝達されるＡＲＳ接続番号は、ＡＲＳサーバにおいて使用する単一の代表ＡＲＳ接続番号とすることが望ましい。
【００４４】
購買者は、モバイル端末機１０に、前記納付告知書に記載されたＡＲＳ接続番号を入力して、ＡＲＳサーバ５０に接続する。このとき、前記ＡＲＳサーバ５０の音声案内メッセージに従い、ＡＲＳ接続番号と別途に、納付者番号乃至振替番号（以下、通称して納付者番号という）を入力するようにすることだけでなく、初めから購買者がＡＲＳ接続番号とともに、納付者番号を入力するようにすることも可能である。
【００４５】
ＡＲＳサーバ５０は、前記モバイル端末機１０から受信した納付者番号及びこれと共に、好ましくは、前記モバイル端末機番号を採番して（例えば、採番のためにＣＩＤ（Ｃａｌｌｉｎｇ  Ｉｄｅｎｔｉｔｙ  Ｄｅｌｉｖｅｒｙ）サービスを利用できる）、決済中継サーバ３０に伝送する。
【００４６】
納付者番号及びモバイル端末機番号を受信した決済中継サーバ３０は、前記納付者番号によりマッチする加盟店サーバ２０に、納付者番号を照会するよう要請して、加盟店サーバ２０から、前記納付者番号を確認し、当該購買者に告知された決済対象金額などを含む決済情報を受信する。
【００４７】
決済中継サーバ３０は、前記加盟店サーバ２０から受信した決済情報を、ＡＲＳサーバ５０に伝送し、これを受信したＡＲＳサーバ５０は、前記決済情報を知らせる音声案内メッセージを前記モバイル端末機１０に伝送する。このとき、好ましくは、購買者の認証のために、固有識別番号を入力するよう要求することができる。固有識別番号は、購買者を認証することができる番号であれば、いずれも含まれることができ、例えば、住民登録番号、クレジットカード番号、チェックカード番号などであっても良い。
【００４８】
モバイル端末機１０から住民登録番号などの入力を受けたＡＲＳサーバ５０は、前記購買者に対する認証及び決済を行うよう、前記決済中継サーバ３０に要請する。
【００４９】
決済中継サーバ３０は、決済サーバ４０に認証及び決済の承認を要請する。このとき、決済サーバ４０は、購買者がモバイル利用料金で決済を要請する場合には移動通信会社が運営するサーバとなり、クレジットカードによる決済を要請する場合にはクレジットカード会社が運営するサーバ（ＶＡＮ会社のサーバが中継する場合も含まれる）となり、口座振替を通じた決済を要請する場合には金融機関が運営するサーバとなる。これは、購買者が、以前の段階においてＡＲＳサーバ５０の音声案内メッセージを通じて、決済方式を選択するよう入力を要請することにより成り立つ。
【００５０】
決済中継サーバ３０から購買者の認証及び決済承認の要請を受けた決済サーバ４０は、当該要請に対する認証及び決済承認の結果を前記決済中継サーバ３０に伝送する。認証及び決済承認の結果を受信した決済中継サーバ３０は、これを加盟店サーバ２０とＡＲＳサーバ５０に、それぞれ伝送する。
【００５１】
ＡＲＳサーバ５０は、前記決済結果を、音声案内メッセージを通じて前記モバイル端末機１０に伝送する。これによって、購買者は、ＡＲＳ接続番号、納付者番号、住民登録番号程度の最小限の情報の入力のみで、ＡＲＳを通じて電子決済を容易に行うことができることになる。
【００５２】
図３は、本発明による、購買者がモバイル端末機を用いてＡＲＳ決済を行う過程の実施例を示す。
【００５３】
購買者は、モバイル端末機１０を用いて、納付告知書に記載されたＡＲＳ接続番号を入力して電話連結を試みる（Ｓ３０１）。ＡＲＳサーバ５０は、購買者の端末機１０に、下記のような音声案内メッセージ１を伝送する。
【００５４】
◎音声案内メッセージ１の例：「こちらは、○○○加盟店で提供する、携帯電話決済サービスです」
次に、ＡＲＳサーバ５０は、モバイル端末機１０に、納付者番号を入力するよう要求する音声案内メッセージ２を伝送する（Ｓ３０２）。
【００５５】
◎音声案内メッセージ２の例：「納付告知書に表記された納付者番号ＸＸ桁を入力して下さい」
購買者は、前記ＡＲＳサーバ５０の音声案内メッセージ２に従い、モバイル端末機１０に納付者番号を入力する（Ｓ３０３）。
【００５６】
ＡＲＳサーバ５０は、モバイル端末機１０に、音声案内メッセージ３を伝送し、納付者番号を照会する（Ｓ３０４）。
【００５７】
◎音声案内メッセージ３の例：「決済料金を照会しております。少々お待ち下さい」
ＡＲＳサーバ５０は、ＡＲＳ接続番号（第２形式では、ＡＲＳ接続番号を伝送する必要はない）、納付者番号及びＣＩＤによって得たモバイル端末機番号を、決済中継サーバ３０に伝送し、決済中継サーバ３０から、当該購買者が納付しなければならない決済金額があれば、当該決済情報を受信し（Ｓ３０５）、当該決済情報が、決済する金額を含む場合、下記のような音声案内メッセージ４が、前記モバイル端末機１０に伝送される（Ｓ３０６）。
【００５８】
◎音声案内メッセージ４の例：「△△△様の決済される料金は、計□□ウォンです。料金決済は１番、もう一度お聞きになりたい場合は２番、相談員との通話は９番を押して下さい」
本発明では、決済の対象件が複数個である場合には、詳細内訳の案内が受けられるよう、上記の音声案内メッセージ４に、詳細内訳の確認のための音声案内メッセージ（例えば、「詳細内訳をご確認されたい場合は３番を」）がさらに含まれ得る（Ｓ３１１）。
【００５９】
一方、ＡＲＳサーバ５０は、決済金額が存在しない場合（Ｓ３０５）には音声案内メッセージ５を、納付者番号が間違っている場合には音声案内メッセージ６を、それぞれモバイル端末機１０に伝送する。
【００６０】
◎音声案内メッセージ５の例：「決済金額はありません。相談員との通話をご希望の場合は９番を押して下さい」
◎音声案内メッセージ６の例：「納付者番号が間違っております。納付者番号をご確認の上、もう一度入力して下さい。相談員との通話をご希望の場合は９番を押して下さい」
購買者が、音声案内メッセージ４に従い、１番を入力した場合（Ｓ３０７）、ＡＲＳサーバ５０は、決済者の住民登録番号を入力するよう要求する音声案内メッセージ７を、前記モバイル端末機１０に伝送する（Ｓ３０８）。
【００６１】
◎音声案内メッセージ７の例：「携帯電話決済のために携帯電話の名義者の住民登録番号１３桁を押して下さい。住民登録番号が分からない場合は、ご確認の上、もう一度お電話下さい」
入力された住民登録番号と、決済サーバ４０でＤＢとして管理する加入者の住民登録番号が一致し、決済承認が、前記決済サーバ４０から出た場合（Ｓ３０９）、ＡＲＳサーバ５０は、モバイル端末機１０に、決済中継サーバ３０から受信した前記決済結果を、音声案内メッセージ８として伝送する（Ｓ３１０）。
【００６２】
◎音声案内メッセージ８の例：「決済が完了しました。ご利用有難うございます」
一方、入力された住民登録番号が、決済サーバ４０でＤＢとして管理する加入者の住民登録番号と一致しない場合（Ｓ３０９）には、音声案内メッセージ９を、また、住民登録番号は一致するが、決済承認が出ない場合（Ｓ３０９）には、音声案内メッセージ１０を、前記モバイル端末機１０に伝送し、段階３０８に戻る。
【００６３】
◎音声案内メッセージ９の例：「入力された番号が一致しません。住民登録番号をご確認の上、もう一度入力して下さい。相談員との通話をご希望の場合は９番を押して下さい」
◎音声案内メッセージ１０の例：「（エラー解説コード）理由で決済が完了しませんでした。相談員との通話をご希望の場合は９番を押して下さい」
段階３０５で、購買者の決済の対象件が複数個である場合、前述のように段階３１１を通じて決済情報は、音声案内メッセージ１１としてモバイル端末機１０に伝送される。
【００６４】
◎音声案内メッセージ１１の例：「△△△様の決済される料金は、計□□ウォンです。料金決済は１番、もう一度お聞きになりたい場合は２番、詳細内訳をご確認されたい場合は３番、相談員との通話は９番を押してください」
購買者が、音声案内メッセージ１１に従い、１番を入力した場合（Ｓ３１２）、ＡＲＳサーバ５０は、決済者の住民登録番号を入力するよう要求する音声案内メッセージ７を、前記モバイル端末機１０に伝送する（Ｓ３０８）。
【００６５】
購買者が音声案内メッセージ１１に従い、３番を入力した場合（Ｓ３１２）、段階３１３を通じて、詳細決済内訳は、音声案内メッセージ１２としてモバイル端末機１０に伝送される。
【００６６】
◎音声案内メッセージ１２の例：「［月別金額、商品名］［ＸＸＸ］ウォン、［月別金額、商品名］［ＸＸＸ］ウォン、…があります。全額決済は１番、個別件だけ決済されたい場合は２番を押して下さい」
購買者が、音声案内メッセージ１２に従い、１番を入力した場合（Ｓ３１４）、ＡＲＳサーバ５０は、決済者の住民登録番号を入力するよう要求する音声案内メッセージ７を、前記モバイル端末機１０に伝送する（Ｓ３０８）。
【００６７】
購買者が、音声案内メッセージ１２に従い、２番を入力した場合（Ｓ３１４）、段階３１５を通じて、個別件に対する決済内訳を、音声案内メッセージ１３としてモバイル端末機１０に伝送する。
【００６８】
◎音声案内メッセージ１３の例：「［月別金額、商品名］［ＸＸＸ］ウォンを決済される場合は１番、［月別金額、商品名］［ＸＸＸ］ウォンを決済される場合は２番、…を押して下さい」
購買者が、音声案内メッセージ１３に従い、個別件の決済のための選択番号を入力した場合、ＡＲＳサーバ５０は、決済者の住民登録番号を入力するよう要求する音声案内メッセージ７を前記モバイル端末機１０に伝送する（Ｓ３０８）。
【００６９】
もし、段階３０９で、決済件が複数個である場合、ＡＲＳサーバ５０は、決済中継サーバ３０からさらなる決済が可能であるか否かに対する照会結果を受信して（Ｓ３１６）、決済可能である場合（Ｓ３１７）、段階３１８を通じて、追加決済の有無を選択するよう要請する音声案内メッセージ１４を、モバイル端末機１０に伝送する。
【００７０】
◎音声案内メッセージ１４の例：「決済が完了しました。決済できる金額が残っています。追加決済をご希望の場合は１番を、終了をご希望の場合は２番を押して下さい」
購買者が、音声案内メッセージ１４に従い、追加決済を選択した場合（Ｓ３１８）には段階３１３に戻り、終了を選択した場合（Ｓ３１８）には、決済終了を知らせる音声案内メッセージ１５を前記モバイル端末機１０に伝送する（Ｓ３１９）。
【００７１】
◎音声案内メッセージ１５の例：「ご利用有難うございます」
前記実施例を通じて確認することができるように、本発明によるＡＲＳ決済過程は、ＡＲＳ接続番号、納付者番号及び住民登録番号程度の最小限の情報の入力のみで、ＡＲＳを通じて電子決済を容易に行えるので、文字入力に慣れていない老人などの場合も、モバイル端末機を通じて容易に決済を行なえる長所を提供する。
【００７２】
以上、本発明の好ましい実施例を参照して説明したが、該当技術分野の熟練した当業者であれば、下記の特許請求の範囲に記載した本発明の思想及び領域から逸脱しない範囲内で本発明を多様に修正及び変更できることが理解できる。
【符号の説明】
【００７３】
１０    モバイル端末機
２０    加盟店サーバ
３０    決済中継サーバ
４０    決済サーバ
５０    ＡＲＳサーバ
【図１】
2012238226.tif 000003
【図２ａ】
2012238226.tif 000004
【図２ｂ】
2012238226.tif 000005
【図３】
2012238226.tif 000006